(57)【特許請求の範囲】
【請求項１】
平行に並べられた複数の金属製四角筒（１），（１）・・と、該金属製四角筒（１），（１）・・を直交するように貫通するフレ止め用のチャンネル材（２），（２）・・とからなる天井下地材（Ａ）を天井スラブ（３）に対して支持する天井下地材用ハンガー装置であって、前記天井スラブ（３）に埋設された支持ボルト（４）と、該支持ボルト（４）に対してナット（５），（５）により締め付け固定される支持板部（６ａ），（６ａ）と該支持板部（６ａ），（６ａ）の先端に一体に延設され且つ前記チャンネル材（２）を、その高さ（Ｈ）方向となる直交する方向から抱持する断面略コ字状の抱持部（６ｂ），（６ｂ）とからなり且つ該抱持部（６ｂ），（６ｂ）における相対向する２辺（６ｂ1），（６ｂ2）のうち少なくとも一方を開放側に向かうに従って外向きに傾斜させてなる一対のハンガー（６），（６）とによって構成するとともに、前記一対のハンガー（６），（６）における支持板部（６ａ），（６ａ）の間には、前記支持ボルト（４）に遊嵌されるスペーサ（１８）を介設したことを特徴とする天井下地材用ハンガー装置。
【発明の詳細な説明】
【０００１】
【発明の属する技術分野】
【０００２】
本願発明は、天井下地材用ハンガー装置に関するものである。
【従来の技術】
【０００３】
従来からよく知られている天井下地構造は、例えば直交状態で組み合わせた下地材を天井スラブに対して複数個所で支持する構造とされており、下地材を天井スラブに支持する方法としては、下地材を下方から支持する断面コ字状のハンガーを天井スラブに埋め込まれた支持ボルトで支持する方法が多用されてきていた。
【発明が解決しようとする課題】
【０００４】
ところで、上記した従来技術の場合、下地材を支持するハンガーとして、支持される下地材の形状に対応させた複数のものを用意しなければならないという不具合があった。
【０００５】
本願発明は、上記の点に鑑みてなされたもので、形状の異なる下地材に１種類のハンガーで対応できるようにすることを目的とするものである。
【課題を解決するための手段】
【０００６】
請求項１の発明では、上記課題を解決するための手段として、平行に並べられた複数の金属製四角筒１，１・・と、該金属製四角筒１，１・・を直交するように貫通するフレ止め用のチャンネル材２，２・・とからなる天井下地材Ａを天井スラブ３に対して支持する天井下地材用ハンガー装置を、前記天井スラブ３に埋設された支持ボルト４と、該支持ボルト４に対してナット５，５により締め付け固定される支持板部６ａ，６ａと該支持板部６ａ，６ａの先端に一体に延設され且つ前記チャンネル材２を、その高さＨ方向となる直交する方向から抱持する断面略コ字状の抱持部６ｂ，６ｂとからなり且つ該抱持部６ｂ，６ｂにおける相対向する２辺６ｂ1，６ｂ2のうち少なくとも一方を開放側に向かうに従って外向きに傾斜させてなる一対のハンガー６，６とによって構成するとともに、前記一対のハンガー６，６における支持板部６ａ，６ａの間に、前記支持ボルト４に遊嵌されるスペーサ１８を介設している。
【０００７】
上記のように構成したことにより、一対のハンガー６，６における抱持部６ｂ，６ｂでチャンネル材２を、その高さＨ方向となる直交する方向から抱持した状態で、ハンガー６，６における支持板部６ａ，６ａを天井スラブ３に埋め込まれた支持ボルト４により支持することにより、天井下地材Ａの支持が行えることとなる。しかも、ハンガー６，６を同形状とすることができるため、幅Ｄの異なるチャンネル材２に対しても１種類のハンガー６を対の状態で使用できることとなり、部品点数も少なくて済むとともに、コスト的にも有利となる。さらに、金属製四角筒１に直交するように貫通されたフレ止め用のチャンネル材２を一対のハンガー６，６で支持することができるため、天井の懐（即ち、天井材と天井スラブとの間の隙間）が少ないものにも対応できることとなり、マンション等に適用した場合、コストダウンに寄与する。また、ハンガー６の抱持部６ｂ，６ｂにおける相対向する２辺６ｂ1，６ｂ2のうち少なくとも一方を開放側に向かうに従って外向きに傾斜させているので、１種類のハンガー６を対の状態で使用するだけで、高さＨの異なるチャンネル材２を抱持することが可能となる。さらにまた、一対のハンガー６，６における支持板部６ａ，６ａの間に、前記支持ボルト４に遊嵌されるスペーサ１８を介設したことにより、支持板部６ａ，６ａ間に位置する幅Ｄの異なるチャンネル材２を支持する際にハンガー６，６における支持板部６ａ，６ａ間をスペーサ１８により間隔保持できる。
【発明の実施の形態】
【０００８】
以下、添付の図面を参照して、本願発明の好適な実施の形態について詳述する。
【０００９】
この天井下地材用ハンガー装置は、図１および図２に示すように、平行に並べられた複数の金属製四角筒１，１・・と、該金属製四角筒１，１・・を直交するように貫通するフレ止め用のチャンネル材２，２・・とからなる天井下地材Ａを天井スラブ３に対して支持するために使用されるものである。
【００１０】
前記チャンネル材２は、断面Ｍ字状を呈しており、図２に示すように、前記金属製四角筒１の相対向する側面の中央部に形成された開口１０の一端のチャンネル嵌合溝１１に嵌合された状態において、前記開口１０の片側口縁１０ａを折曲部として開閉自在とされる圧接固定片１２により固定されている。このようにすると、金属製四角筒１がチャンネル材２によりフレ止めされた状態で組み合わされた天井下地材Ａが構成されることとなる。なお、チャンネル材２は、断面コ字状のものを使用してもよいことは勿論である。符号１３は圧接固定片１２の折曲部に折曲を容易ならしめるために形成された長穴、１４はチャンネル嵌合溝１１へのチャンネル材２の嵌合度を高めるためのリブである。
【００１１】
前記天井下地材用ハンガー装置は、前記天井スラブ３に埋設された支持ボルト４と、該支持ボルト４に対してナット５，５により締め付け固定される支持板部６ａと該支持板部６ａの先端に一体に延設され且つ前記チャンネル材２を、その高さＨ方向となる直交する方向から抱持する断面略コ字状の抱持部６ｂとからなる一対のハンガー６，６とによって構成されている。つまり、図３に示すように、なお、本実施の形態においては、前記支持板部６ａの先端と前記抱持部６ｂの相対向する２辺６ｂ1，６ｂ2のうちの一方６ｂ1の開放端とを一体となしているが、当該辺６ｂ1の中間部位に支持板部６ａの先端を一体に延設してもよい。本実施の形態のようにすれば、図１および図２に示すように、抱持部６ｂの深さをチャンネル材２の幅の半分とした場合に、スペーサを使用することなく、ハンガー６における支持板部６ａ，６ａをボルト４にナット５，５を用いて締結することができる。符号７は支持板部６ａと抱持部６ｂとの連結部を補強する補強リブ、８はボルト穴である。
【００１２】
また、前記ハンガー６の抱持部６ｂにおける相対向する２辺６ｂ1，６ｂ2のうちの少なくとも一方（例えば、反支持板部側の一辺６ｂ2）は開放側に向かうに従って外向きに傾斜せしめられている。なお、本実施の形態においては、支持板部側の一辺６ｂ1は、支持板部６ａに対して直角とされているが、該一辺６ｂ1を開放側に向かうに従って外向きに傾斜させてもよい。
【００１３】
図１において、符号１５は支持ボルト４を螺合すべく天井スラブ３に埋め込まれたボルト支持筒、１６は金属製四角筒１の両端を支持すべく壁面Ｗの上部に取り付けられたランナ、１７は天井板である。
【００１４】
上記構成の天井下地材用ハンガー装置を用いて天井下地材Ａを支持する手順について説明する。
【００１５】
まず、ランナ１６，１６に金属製四角筒１，１・・の両端部を挿入して順次建て込み、各金属製四角筒１における圧接固定片１２を開状態となして、チャンネル嵌合溝１１にチャンネル材２を開放端が横向きとなるように嵌合し、その後圧接固定片１２を閉じることにより、該圧接固定片１２によりチャンネル嵌合溝１１にチャンネル材２を強固に固定して、天井下地材Ａを構成する。
【００１６】
ついで、前記チャンネル材２の上下を、その高さＨ方向となる直交方向から一対の抱持部６ｂ，６ｂで抱持し、この状態のハンガー６，６における支持板部６ａ，６ａを予め天井スラブ３に埋め込まれた支持ボルト４にナット５，５により締着固定する。すると、天井下地材Ａを天井スラブ３に対して強固に支持することができる。このようにして  天井スラブ３に支持された天井下地材Ａを構成する金属製四角筒１，１・・に天井板１７がビスにより張設される。
【００１７】
ところで、チャンネル材２の幅Ｄおよび高さＨは、ＪＩＳ規格により複数種類に定められており、図４に示すように、高さＨは図１のものと同じであるが幅Ｄが大きい場合、ハンガー６，６によりチャンネル材２を抱持した状態において支持板部６ａ，６ａの間に間隔が生じる。この場合には、支持板部６ａ，６ａ間に前記間隔と同じ長さ寸法のスペーサ１８を介設することにより、ハンガー６，６を支持ボルト４に強固に締着することができる。また、図５に示すように、高さＨと幅Ｄとが図１のものに比べて大きい場合、チャンネル材２が抱持部６ｂの中間部位（即ち、抱持部６ｂにおける相対向する２辺６ｂ1，６ｂ2の高さ方向中間部位）で抱持されることとなるとともに、支持板部６ａ，６ａの間に間隔が生じる。この場合にも、支持板部６ａ，６ａ間に前記間隔と同じ長さ寸法のスペーサ１８を介設することにより、ハンガー６，６を支持ボルト４に強固に締着することができる。
【００１８】
上記したように、本実施の形態においては、ハンガー６，６を同形状とすることができるため、幅の異なるチャンネル材２に対しても１種類のハンガー６を対の状態で使用できることとなり、部品点数も少なくて済むとともに、コスト的にも有利となる。さらに、金属製四角筒１に直交するように貫通されたフレ止め用のチャンネル材２を一対のハンガー６，６で支持することができるため、天井の懐（即ち、天井材と天井スラブとの間の隙間）が少ないものにも対応できることとなり、マンション等に適用した場合、コストダウンに寄与する。
【００１９】
また、前記ハンガー６の抱持部６ｂにおける相対向する２辺６ｂ1，６ｂ2のうちの少なくとも一方（例えば、反支持板部側の一辺６ｂ2）を開放側に向かうに従って外向きに傾斜させて、チャンネル材２を抱持部６ｂの中間部位で抱持できるようにしているため、高さＨの異なるチャンネル材２を抱持することも可能となる。
【００２０】
しかも、前記一対のハンガー６，６における支持板部６ａ，６ａの間に、支持ボルト４に遊嵌されるスペーサ１８を介設するようにしているので、幅Ｄの異なるチャンネル材２を支持する際にハンガー６，６における支持板部６ａ，６ａ間をスペーサ１８により間隔保持することができる。
【発明の効果】
【００２１】
請求項１の発明によれば、平行に並べられた複数の金属製四角筒１，１・・と、該金属製四角筒１，１・・を直交するように貫通するフレ止め用のチャンネル材２，２・・とからなる天井下地材Ａを天井スラブ３に対して支持する天井下地材用ハンガー装置を、前記天井スラブ３に埋設された支持ボルト４と、該支持ボルト４に対してナット５，５により締め付け固定される支持板部６ａ，６ａと該支持板部６ａ，６ａの先端に一体に延設され且つ前記チャンネル材２を、その高さＨ方向となる直交する方向から抱持する断面略コ字状の抱持部６ｂ，６ｂとからなり且つ抱持部６ｂ，６ｂにおける相対向する２辺６ｂ1，６ｂ2のうち少なくとも一方を開放側に向かうに従って外向きに傾斜させてなる一対のハンガー６，６とによって構成して、一対のハンガー６，６における抱持部６ｂ，６ｂでチャンネル材２を直交する方向から抱持した状態で、ハンガー６，６における支持板部６ａ，６ａを天井スラブ３に埋め込まれた支持ボルト４により支持することにより、天井下地材Ａの支持が行えるようにしたので、ハンガー６，６を同形状とすることができるため、幅Ｄの異なるチャンネル材２に対しても１種類のハンガー６を対の状態で使用できることとなり、部品点数も少なくて済むとともに、コスト的にも有利となるという効果がある。さらに、金属製四角筒１に直交するように貫通されたフレ止め用のチャンネル材２を一対のハンガー６，６で支持することができるため、天井の懐（即ち、天井材と天井スラブとの間の隙間）が少ないものにも対応できることとなり、マンション等に適用した場合、コストダウンに寄与するという効果もある。しかも、抱持部６ｂ，６ｂにおける相対向する２辺６ｂ1，６ｂ2のうち少なくとも一方を開放側に向かうに従って外向きに傾斜させているので、１種類のハンガー６を対の状態で使用するだけで、ハンガー６の抱持部６ｂ，６ｂで高さＨの異なるチャンネル材２を抱持することが可能となるという効果もある。さらにまた、一対のハンガー６，６における支持板部６ａ，６ａの間に、前記支持ボルト４に遊嵌されるスペーサ１８を介設したことにより、支持板部６ａ，６ａ間に位置する幅Ｄの異なるチャンネル材２を支持する際にハンガー６，６における支持板部６ａ，６ａ間をスペーサ１８により間隔保持できるという効果もある。
【図面の簡単な説明】
【図１】  本願発明の実施の形態にかかる天井下地材用ハンガー装置を用いた天井下地構造を示す断面図である。
【図２】  本願発明の実施の形態にかかる天井下地材用ハンガー装置を用いた天井下地構造を示す要部斜視図である。
【図３】  本願発明の実施の形態にかかる天井下地材用ハンガー装置を構成するハンガーの斜視図である。
【図４】  本願発明の実施の形態にかかる天井下地材用ハンガー装置の使用例を示す断面図である。
【図５】  本願発明の実施の形態にかかる天井下地材用ハンガー装置の他の使用例を示す断面図である。
【符号の説明】
１は金属製四角筒、２はチャンネル材、３は天井スラブ、４は支持ボルト、５はナット、６はハンガー、６ａは支持板部、６ｂは抱持部、６ｂ1，６ｂ2は辺、１８はスペーサ、Ｄはチャンネル材の幅、Ｈはチャンネル材の高さ。
【図１】
0004382228.tif 000002
【図２】
0004382228.tif 000003
【図３】
0004382228.tif 000004
【図４】
0004382228.tif 000005
【図５】
0004382228.tif 000006